(57)【要約】 縁部に切り欠きを有し、側面から入射される光を一面から出射させる導光板と、該導光板に対向配置され、前記切り欠きに対応する凹部を縁部に有する反射シート部材とを備える光源装置において、前記導光板の前記一面の前記縁部側に、該一面から光の出射方向に隔てて縁部枠部材を設け、前記導光板の前記一面の前記縁部から出射される光を該一面に反射することにより、該導光板の縁部での光量を全体的に増加させる。
2015025364.tif 000002
【特許請求の範囲】
【請求項１】
縁部に切り欠きを有し、側面から入射される光を一面から出射させる導光板と、該導光板に対向配置され、前記切り欠きに対応する凹部を縁部に有する反射シート部材とを備える光源装置において、
前記導光板の前記一面の前記縁部側に縁部枠部材を設け、
該縁部枠部材は、前記導光板側の一面に反射面を有することを特徴とする光源装置。
【請求項２】
前記反射面は、前記対向方向にて、前記導光板の前記切り欠きに対応する位置を除いて形成されていることを特徴とする請求項１に記載の光源装置。
【請求項３】
前記導光板は矩形であり、
前記導光板の前記縁部に隣り合う側面側には、光源を設けており、
前記反射面は、該光源に近くなるにつれて面積が漸次減少するように構成されていることを特徴とする請求項１又は２に記載の光源装置。
【請求項４】
前記反射面は略三角形であることを特徴とする請求項３に記載の光源装置。
【請求項５】
前記反射面は、前記導光板の前記切り欠きに近くなるにつれて面積が漸次減少するように構成されていることを特徴とする請求項１又は２に記載の光源装置。
【請求項６】
前記反射面は略菱形であることを特徴とする請求項５に記載の光源装置。
【請求項７】
前記反射面は、高反射ドットを印刷してなることを特徴とする請求項１から６の何れかに記載の光源装置。
【請求項８】
前記反射面は、前記導光板の前記切り欠きに近くなるにつれて、前記高反射ドットのドット密度が漸次減少するように構成されていることを特徴とする請求項７に記載の光源装置。
【請求項９】
前記高反射ドットの分布は一定であり、
前記反射面は、前記導光板の前記切り欠きに近くなるにつれて、前記高反射ドットの各ドットの面積が漸次減少するように構成されていることを特徴とする請求項７に記載の光源装置。
【請求項１０】
前記高反射ドットの各ドットは一定の形状を有しており、
前記反射面は、前記導光板の前記切り欠きに近くなるにつれて、前記高反射ドットのドット同士間の間隔が漸次増加するように構成されていることを特徴とする請求項７に記載の光源装置。
【請求項１１】
前記反射面は、反射シートを付してなることを特徴とする請求項１から１０の何れかに記載の光源装置。
【請求項１２】
前記光源に係る側面と、前記切り欠きを形成する側面部分とを除く前記導光板の側面には、該導光板の側面を介して出射される光を反出射方向に反射する反射性シートを付してあることを特徴とする請求項１から１１の何れかに記載の光源装置。
【請求項１３】
前記切り欠きを形成する側面部分のうち、前記光源からの光の入射方向と対向する部分には、鏡面加工が施されてあることを特徴とする請求項１から１２の何れかに記載の光源装置。
【請求項１４】
前記光源に係る側面と、前記切り欠きを形成する側面部分とを除く前記導光板の側面には、鏡面加工が施されていないことを特徴とする請求項１３に記載の光源装置。
【請求項１５】
請求項１から１４の何れかに記載の光源装置と、
前記導光板の前記一面側に設けられており、該導光板を介して入射される光を用いて画像を表示する表示パネルと
を備えることを特徴とする表示装置。
【発明の詳細な説明】
【技術分野】
【０００１】
本発明は、縁部に切り欠きを有し、側面から入射される光を一面から出射させる導光板と、該導光板に対向配置され、前記切り欠きに対応する凹部を縁部に有する反射シートとを備える光源装置及び表示装置に関する。
【背景技術】
【０００２】
近年、液晶テレビジョンなどの表示装置が広く普及されている。このような表示装置は導光板を備えており、該導光板は光源からの光を内部で平面的に伝播させながら画像を表示する表示パネルに向けて照射する。一方、表示パネルへの光の照射を適切に行なうためには導光板の位置ズレを防ぐ必要があり、一般には、位置決め部を用いて導光板の位置を固定しており、導光板には、該位置決め部に対応する位置に、切り欠きが形成されている。【０００３】
しかし、このように位置決め部を用いて導光板の位置を固定する場合、導光板内部を伝播する光が、例えば、前記位置決め部によって反射されて、前記切り欠きの周辺で意図しない反射光が前記導光板を介して表示パネルに出射され、又は前記切り欠きに係る部分にて光の反射率が変更することがあり、表示パネルに輝度のムラが生じるという問題が発生していた。【０００４】
これに対して、特許文献１においては、光源からの光に対する反射率が、位置決め部自体より小さい被覆膜にて、該位置決め部を覆うことにより、導光板の切り欠き周辺での反射による輝度のムラの発生を防止する光源モジュールについて開示されている。
【先行技術文献】
【特許文献】
【０００５】
【特許文献１】特開２０１２−８４３０３号公報
【発明の概要】
【発明が解決しようとする課題】
【０００６】
一方、前記位置決め部でなく、導光板の切り欠きの側面に光が当たり、輝度のムラが生じる場合がる。すなわち、当該導光板の切り欠きに係る側面に光が当たって乱反射を生じた場合は、該切り欠きの周囲に明部ムラが発生し、これが輝度ムラとしてユーザに視認される問題が生じる。しかしながら、特許文献１の光源モジュールではこのような問題を解決することが出来ない。【０００７】
本発明は、斯かる事情に鑑みてなされたものであり、その目的とするところは、縁部に切り欠きを有し、側面をから入射される光を一面から出射させる導光板と、該導光板に対向配置され、前記切り欠きに対応する凹部を縁部に有する反射シート部材とを備える光源装置において、前記導光板の前記一面の前記縁部側に縁部枠部材を設け、該縁部枠部材が前記導光板側の一面に反射面を有して、前記導光板の前記一面の前記縁部から出射される光を該一面に反射することにより、該導光板の縁部での光量を全体的に増加させて輝度ムラの発生を抑制し、かつユーザによる該輝度ムラの視認を防止できる光源装置、及び該光源装置を備える表示装置を提供することを目的とする。
【課題を解決するための手段】
【０００８】
本発明に係る光源装置は、縁部に切り欠きを有し、側面から入射される光を一面から出射させる導光板と、該導光板に対向配置され、前記切り欠きに対応する凹部を縁部に有する反射シート部材とを備える光源装置において、前記導光板の前記一面の前記縁部側に縁部枠部材を設け、該縁部枠部材は、前記導光板側の一面に反射面を有することを特徴とする。【０００９】
本発明にあっては、前記縁部枠部材は前記反射面を有しており、前記導光板の前記一面の前記縁部から出射される光を該一面に反射することにより、該導光板の縁部での光量を全体的に増加させる。【００１０】
本発明に係る光源装置は、前記反射面は、前記対向方向にて、前記導光板の前記切り欠きに対応する位置を除いて形成されていることを特徴とする。【００１１】
本発明にあっては、前記切り欠きに係る側面では、光の乱反射が発生して輝度が高くなることから、前記対向方向にて前記切り欠きに対応する位置を除いて前記反射面が形成されてかかる部分での光量を増加させる。【００１２】
本発明に係る光源装置は、前記導光板は矩形であり、前記導光板の前記縁部に隣り合う側面側には、光源を設けており、前記反射面は、該光源に近くなるにつれて面積が漸次減少するように構成されていることを特徴とする。【００１３】
本発明にあっては、前記導光板の前記縁部に隣り合う側面側に設けられた光源に近くなるにつれて前記反射面の面積を漸次減少させ、既に輝度が高い光源付近では、反射による光量の増加をひかえる。【００１４】
本発明に係る光源装置は、前記反射面は略三角形であることを特徴とする。【００１５】
本発明にあっては、前記反射面の形状を略三角形にして、前記光源に近くなるにつれて前記反射面の面積を漸次減少させる。【００１６】
本発明に係る光源装置は、前記反射面は、前記導光板の前記切り欠きに近くなるにつれて面積が漸次減少するように構成されていることを特徴とする。【００１７】
本発明にあっては、前記導光板の前記切り欠きに近くなるにつれて前記反射面の面積を漸次減少させ、既に乱反射によって輝度が高い切り欠き付近では、反射による光量の増加をひかえる。【００１８】
本発明に係る光源装置は、前記反射面は略菱形であることを特徴とする。【００１９】
本発明にあっては、前記反射面の形状を略菱形にして、該反射面の両端側の切り欠きに近くなるにつれて該反射面の面積を漸次減少させる。【００２０】
本発明に係る光源装置は、前記反射面は、高反射ドットを印刷してなることを特徴とする。【００２１】
本発明にあっては、前記反射面が高い反射率の高反射ドットを付してなり、該高反射ドットが前記導光板の前記一面の前記縁部から出射される光を該一面に反射させ、該導光板の縁部での光量を増加させる。【００２２】
本発明に係る光源装置は、前記反射面は、前記導光板の前記切り欠きに近くなるにつれて、前記高反射ドットのドット密度が漸次減少するように構成されていることを特徴とする。【００２３】
本発明にあっては、前記高反射ドットの各ドットの密度は前記導光板の前記切り欠きに近くなるにつれて漸次減少し、既に輝度が高い切り欠き付近では、反射による光量の増加をひかえる。【００２４】
本発明に係る光源装置は、前記高反射ドットの分布は一定であり、前記反射面は、前記導光板の前記切り欠きに近くなるにつれて、前記高反射ドットの各ドットの面積が漸次減少するように構成されていることを特徴とする。【００２５】
本発明にあっては、前記高反射ドットの各ドットの面積が前記切り欠きに近くなるにつれて漸次減少し、既に輝度が高い切り欠き付近では、反射による光量の増加をひかえる。【００２６】
本発明に係る光源装置は、前記高反射ドットの各ドットは一定の形状を有しており、前記反射面は、前記導光板の前記切り欠きに近くなるにつれて、前記高反射ドットのドット同士間の間隔が漸次増加するように構成されていることを特徴とする。【００２７】
本発明にあっては、前記高反射ドットのドット同士間の間隔が前記切り欠きに近くなるにつれて漸次増加し、既に輝度が高い切り欠き付近では、反射による光量の増加をひかえる。【００２８】
本発明に係る光源装置は、前記反射面は、反射シート部材を付してなることを特徴とする。【００２９】
本発明にあっては、前記反射面が所定の反射シート部材を付してなり、該反射シート部材が前記導光板の前記一面の前記縁部から出射される光を該一面に反射させ、該導光板の縁部での光量を増加させる。【００３０】
本発明に係る光源装置は、前記光源に係る側面と、前記切り欠きを形成する側面部分とを除く前記導光板の側面には、該導光板の側面を介して出射される光を反出射方向に反射する反射性シートを付してあることを特徴とする。【００３１】
本発明にあっては、前記反射性シートが前記導光板の側面を介して出射される光を反出射方向に、すなわち、該導光板の内側に反射し、前記切り欠き周辺での光量が増加する。【００３２】
本発明に係る光源装置は、前記切り欠きを形成する側面部分のうち、前記光源からの光の入射方向と対向する部分には、鏡面加工が施されてあることを特徴とする。【００３３】
本発明にあっては、前記切り欠きを形成する側面部分のうち、前記光源からの光の入射方向と対向する部分での乱反射が抑制され、前記切り欠きでの光量が低下する。【００３４】
本発明に係る光源装置は、前記光源に係る側面と、前記切り欠きを形成する側面部分とを除く前記導光板の側面には、鏡面加工が施されていないことを特徴とする。【００３５】
本発明にあっては、前記光源に係る側面と、前記切り欠きを形成する側面部分とを除く前記導光板の側面にて乱反射が生じ、前記切り欠き周辺での光量が増加する。【００３６】
本発明に係る表示装置は、前述の発明の何れか一つに記載の光源装置と、前記導光板の前記一面側に設けられており、該導光板を介して入射される光を用いて画像を表示する表示パネルとを備えることを特徴とする。【００３７】
本発明にあっては、前記光源装置の導光板の一面から出射され、前記表示パネルに入射される光を用いて、該表示パネルは所定の画像を表示する。
【発明の効果】
【００３８】
本発明によれば、前記導光板の縁部での光量を増加させて輝度ムラの発生を抑制し、かつユーザによる該輝度ムラの視認を防止でき、良好な表示品位を得ることができる。
【図面の簡単な説明】
【００３９】
【図１】本発明の実施の形態１に係る液晶テレビジョンの要部構成を示す分解斜視図である。
【図２】本発明の実施の形態１に係る液晶テレビジョンの要部構成を示す縦断面図である。
【図３】図２の一端部を拡大して示す、一部省略した拡大図である。
【図４】本発明の実施の形態１に係る液晶テレビジョンにおける、光源部、導光板の切り欠き、及び、反射面の位置関係を模式的に説明する模式図である。
【図５】図４のＡ−Ａ線による断面を模式的に示す模式的断面図である。
【図６】本発明の実施の形態２に係る液晶テレビジョンにおける、光源部、導光板の切り欠き、及び、反射面の位置関係を模式的に説明する模式図である。
【図７】本発明の実施の形態３に係る液晶テレビジョンにおける、光源部、導光板の切り欠き、及び、反射面の位置関係を模式的に説明する模式図である。
【図８】本発明の実施の形態４に係る液晶テレビジョンにおける、光源部、導光板の切り欠き、及び、反射面の位置関係を模式的に説明する模式図である。
【図９】本発明の実施の形態５に係る液晶テレビジョンにおける、バック収容部での光源部及び導光板の収容状態を説明する模式図である。
【図１０】本発明の実施の形態６に係る液晶テレビジョンにおいて、光源部と、導光板の切り欠きとの位置関係を模式的に説明する模式図である。
【図１１】本発明の実施の形態６に係る液晶テレビジョンにおいて、光源部と、導光板の切り欠きとの位置関係を模式的に説明する模式図である。
【発明を実施するための形態】
【００４０】
以下、図面を参照して、本発明の実施の形態を説明するが、本発明は本実施の形態に限定されるものではない。なお、以下で説明する図面で、同機能を有するものは同一符号を付して、その繰り返しの説明は省略することもある。
【００４１】
（実施の形態１）
図１は本発明の実施の形態１に係る液晶テレビジョンの要部構成を示す分解斜視図である。図中、符号１は、液晶テレビジョンを示す。図１に示しているように、液晶テレビジョン１は、光源装置２、液晶表示パネル３、光学シート４、及び、液晶表示パネル３と光学シート４とを収容するフロント収容部５等を備える。
【００４２】
更に、光源装置２は、光源部１２と、光源部１２から入射された光を液晶表示パネル３側の一面に導く導光板２２と、導光板２２と対向配置され、光源部１２から入射された光を導光板２２の前記一面に向けて反射させる反射シート３２と、光源部１２、導光板２２及び反射シート３２を収容するバック収容部４２と、導光板２２の移動を制限する導光板押え部材５２，５２とを有している。
【００４３】
以下、説明の便宜上、矩形である、液晶表示パネル３の長手方向を横方向と言い、短手方向を縦方向と言う。
【００４４】
図２は本発明の実施の形態１に係る液晶テレビジョン１の要部構成を示す縦断面図であり、図３は図２の一端部を拡大して示す、一部省略した拡大図である。
【００４５】
フロント収容部５は、画像が表示される液晶表示パネル３の一面より表側に配置されている。フロント収容部５は、ユーザによって視認される液晶表示パネル３の前記一面の形状に倣う矩形の底を有する筒状をなしており、該底には矩形の表示窓１５が開口している。ユーザは表示窓１５を介して液晶表示パネル３の前記一面に表示される画像を視認することができる。
【００４６】
更に、フロント収容部５の前記底の縁から表示窓１５の縁までは所定の幅を有しており、換言すれば、フロント収容部５の前記底であって、表示窓１５を除く剰余部分は中空矩形の額縁部２５を形成している。液晶表示パネル３は、前記一面の周縁部が額縁部２５によって覆われている。液晶表示パネル３の他面側には光学シート４が設けられ、光学シート４の一面が液晶表示パネル３の他面と対向するように配置されている。
【００４７】
液晶表示パネル３は、矩形であり、例えばアクティブマトリクス方式であり、所定の間隙を設けて対向配置された透明基板を備えており、これら透明基板の間の間隙には液晶が封入されている。液晶表示パネル３の前記他面側には偏光板（図示せず）が設けられている。
【００４８】
額縁部２５の裏側には、表示窓１５側の縁に沿って、液晶表示パネル３をその周縁部と当接して抑えるパネル押え部２６が、液晶表示パネル３の厚み方向に突設されている。すなわち、パネル押え部２６は、液晶表示パネル３の周縁部を後述する導光板押え部材５２，５２に押し付けることにより、液晶表示パネル３を保持している。
【００４９】
また、液晶表示パネル３は前記他面に偏光板（図示せず）を設けており、該偏光板を用いて入射される光をＰ波（水平偏向成分）とＳ波（垂直偏向成分）に分離し、Ｐ波だけが一面に向けて出て行き、Ｓ波は該偏光板に吸収されるように構成されている。液晶表示パネル３は、例えば電気泳動液晶パネルであっても良い。
【００５０】
また、額縁部２５の裏側であってパネル押え部２６と反対側には、導光板押え部材５２，５２と当接するよう、所定の段差を持って当接面２７が形成されている。
【００５１】
液晶表示パネル３の前記他面側には、液晶表示パネル３の該他面の長辺側縁部と当接して液晶表示パネル３を支持する２つの導光板押え部材５２，５２が設けられている。上述したように、パネル押え部２６が液晶表示パネル３の長辺側縁部を導光板押え部材５２，５２側に押し付けており、液晶表示パネル３はパネル押え部２６及び導光板押え部材５２，５２によって挟持されている。
【００５２】
また、導光板押え部材５２，５２は断面示Ｌ字状をなしている屈曲板の形状をなしており、矩形の導光板２２の両長辺側の縁部を覆うように配置されている。導光板押え部材５２，５２，５２は導光板２２及び反射シート３２の対向方向における、導光板２２の移動を制限する。
【００５３】
各導光板押え部材５２，５２は、液晶表示パネル３の前記他面の縁部及びフロント収容部５の当接面２７と当接する当接部５２１を有している。当接部５２１は短冊状をなし、長手方向の寸法が、導光板２２の長辺側の寸法より少し大きく、短手方向の中央部に段差５２２を設けている。
【００５４】
段差５２２は、液晶表示パネル３の長辺側縁部に倣う形状を有しており、液晶表示パネル３の長辺側縁部が段差５２２に載置されて、段差５２２と当接された状態で保持される。
【００５５】
また、当接部５２１の一端側には、導光板２２の厚み方向に連設された側壁が設けられている。また、当接部５２１の他端部の裏側には、光学シート４の縁部と当接して抑え、光学シート４、導光板２２及び反射シート３２を保持するシート押え部５２３が、縁に沿って、光学シート４の厚み方向に突設されている。シート押え部５２３の端部には、光学シート４の前記一面の長手方向の縁部に倣う形状の欠損部５２４が形成されており、光学シート４の前記一面の前記縁部が欠損部５２４と当接される。これにより、シート押え部５２３は、光学シート４の縁部をバック収容部４２側に押し付けることにより、光学シート４、導光板２２及び反射シート３２を保持している。
【００５６】
当接部５２１の裏側面であって、シート押え部５２３に対して、欠損部５２４と反対側には、反射部５２５が形成されている。反射部５２５は、導光板２２の厚み方向、換言すれば、導光板２２及び反射シート３２の対向方向において、導光板２２の長辺側の縁部に整合する範囲である。
【００５７】
反射部５２５においては、光源部１２に近い両端側、及び、導光板２２及び反射シート３２の対向方向における、後述する各切り欠き７２と対応する位置を除く部分において、反射面９２が複数箇所に形成されている。このような、各反射面９２は、導光板２２の長辺側の縁部から液晶表示パネル３に向けて出射される光を、導光板２２の長辺側の縁部に向けて反射する。
【００５８】
より詳しくは、反射面９２，９２，・・・，９２は、導光板２２及び反射シート３２の対向方向において、導光板２２の切り欠き７２と切り欠き７２の間に該当する部分に形成されており、導光板２２の長辺に沿う方向を長手方向とする短冊状をなしている。換言すれば、各反射面９２の長手方向の寸法は、切り欠き７２同士間の距離と略同一である。また、反射面９２，９２，・・・，９２は、例えが、反射シートを貼り付けることにより設けてもよく、反射性に優れた物質を塗布することにより設けても良い。
【００５９】
光学シート４は、光源部１２から発せられ、導光板２２を介して入射される光に対して拡散、集光等を行ない、より均一な光を液晶表示パネル３に向けて出射させる、公知のものである。例えば、光学シート４は、２枚の拡散シートと、１枚のプリズムシートとからなり、該プリズムシートは２枚の拡散シートの間に介在している。
【００６０】
前記２枚の拡散シートのうち導光板２２側に配置された一の拡散シートは、導光板２２を介して光源部１２から入射される光を拡散させて前記プリズムシートに入射させる光学シートである。また、前記プリズムシートは、前記一の拡散シートを介して入射される光を集光して他の拡散シートに向けて出射させる光学シートである。前記プリズムシートを通過した光は、該プリズムシートに対して垂直に前記他の拡散シートへ入射される。
【００６１】
液晶表示パネル３側に配置された前記他の拡散シートは、前記プリズムシートを介して入射される光を更に拡散させてより均一な輝度分布にして液晶表示パネル３に向けて出射させる光学シートである。
【００６２】
光学シート４の他面側には、上述したように、矩形の導光板２２が配置されている。導光板２２は光源部１２が発する光を光学シート４（液晶表示パネル３）に導く。例えば、導光板２２は、光学シート４の前記他面と対向する一面に、光源部１２から入射された光が液晶表示パネル３方向に進行するようにパターンが形成された出射面を有するように構成してもよい。これによって、導光板２２は、光源部１２から入射される光を平面光に変えて前記出射面を通じて光学シート４に均一に伝達することができる。
【００６３】
また、導光板２２は、例えば透明度の高いアクリル樹脂からなり、導光板２２の他面側には、光源部１２から入射される光を乱反射させて導光板２２の出射面から出射させるための反射シート３２が配置されている。
【００６４】
また、導光板２２は、長辺側の両縁部に、後述するバック収容部４２に複数設けられた位置決め部６２ａ、６２ｂ、６２ｃ、６２ｄ、６２e、６２ｆ（以下、位置決め部６２ともいう）に対応する切り欠き７２ａ、７２ｂ、７２ｃ、７２ｄ、７２e、７２ｆ（以下、切り欠き７２ともいう）が形成されている。例えば、切り欠き７２ａ、７２ｂ、７２ｃ、７２ｄ、７２e、７２ｆは、導光板２２の夫々の長辺側縁部の両端及び中央に形成されており、導光板２２の厚み方向において、Ｕ字状をなしている。
【００６５】
導光板２２の４辺の各側面には、切り欠き７２に係る側面を除き、鏡面処理が施されており、光源部１２から入射される光の一部は該側面から外側へ自由に通り抜ける。一方、切り欠き７２に係る側面には、前記鏡面加工が施されておらず、光源部１２から入射され、切り欠き７２に係る側面に当たる光は該側面で乱反射を起こす。
【００６６】
一方、反射シート３２は、導光板２２と略等しい寸法の矩形であり、光源部１２から導光板２２に入射される光を導光板２２の前記他面側から乱反射させて導光板２２の前記出射面を介して出射させる。
【００６７】
また、反射シート３２においても、導光板２２と同様に、夫々の長辺側の縁部に、バック収容部４２の位置決め部６２ａ、６２ｂ、６２ｃ、６２ｄ、６２e、６２ｆに対応する凹部８２，８２，・・・８２が形成されている。例えば、凹部８２，８２，・・・８２は、反射シート３２の厚み方向において、Ｕ字状をなしている。
【００６８】
なお、導光板２２及び反射シート３２はバック収容部４２に収容される際、これらの積層方向において、切り欠き７２ａ、７２ｂ、７２ｃ、７２ｄ、７２e、７２ｆ及び凹部８２，８２，・・・８２の位置が整合するように構成されている。
【００６９】
導光板２２の両短辺側の両側面の付近には、光源部１２が設けられている。光源部１２は、導光板２２の前記両側面に対して対向配置された基板１２１，１２１と、各基板１２１に実装されており、導光板２２の前記両側面に沿って並設された光源１２２，１２２，・・・１２２とを有している。光源１２２，１２２，・・・１２２は、例えば、発光ダイオード（ＬＥＤ：Ｌｉｇｈｔ Ｅｍｉｔｔｉｎｇ Ｄｉｏｄｅ）、冷陰極蛍光ランプ（ＣＣＦＬ：Ｃｏｌｄ Ｃａｔｈｏｄｅ Ｆｌｕｏｒｅｓｃｅｎｃｅ Ｌａｍｐ）、熱陰極管（ＨＣＦＬ：Ｈｏｔ  Ｃａｔｈｏｄｅ  Ｆｌｕｏｒｅｓｃｅｎｔ  Ｌａｍｐ）、外部電極蛍光ランプ（ＥＥＦＬ：Ｅｘｔｅｒｎａｌ Ｅｌｅｃｔｒｏｄｅ Ｆｌｕｏｒｅｓｃｅｎｔ Ｌａｍｐ）等であっても良い。
【００７０】
なお、光源部１２の位置は、導光板２２の前記両側面の付近に限るものでなく、短辺側の何れか一方の側面の付近であっても良い。また、光源部１２は、両長辺の側面の付近であっても良く、何れか一方の長辺の側面の付近であってもよい。また、光源部１２を、一箇所のみに設けても良く、複数箇所に設ける構成であっても良い。
【００７１】
バック収容部４２は、反射シート３２の形状に倣う矩形の底４２１を有する筒状をなしており、導光板２２及び反射シート３２を収容する際に、これらのバック収容部４２内位置を決めるための位置決め部６２を複数箇所に形成している。各位置決め部６２は、中心軸が前記積層方向と平行する円柱形状をなしており、バック収容部４２の内側の側面に設けられている。バック収容部４２の位置決め部６２ａ、６２ｂ、６２ｃ、６２ｄ、６２e、６２ｆに対応できるように、導光板２２の切り欠き７２ａ、７２ｂ、７２ｃ、７２ｄ、７２e、７２ｆ及び反射シート３２の凹部８２，８２，・・・８２が形成されている。
【００７２】
導光板２２及び反射シート３２は、反射シート３２の前記一面が導光板２２の前記他面に対向するようにして積層され、反射シート３２の他面と、バック収容部４２の底４２１とが対向する状態にて、バック収容部４２に収容されている。この際、上述したように、導光板２２及び反射シート３２は、位置決め部６２によって、バック収容部４２に収容される際の位置が決められる。
【００７３】
本発明の実施の形態１に係る液晶テレビジョン１は以上のような構成を有することから、切り欠き７２の付近にて光の輝度の明部ムラが発生する問題、又は、このような光の輝度のムラを隠すために、額縁部２５における幅を広くする必要があり、その結果、表示窓１５が狭くなる問題を解消できる。以下、詳細に説明する。
【００７４】
光源部１２からの光は反射シート３２によって導光板２２の出射面の方に反射されるが、入射光の一部は導光板２２の側面から外側に通り抜ける。しかし、切り欠き７２に係る側面には鏡面加工が施されていないので光源部１２からの光が切り欠き７２の該側面に当たると該側面にて乱反射が生じ、切り欠き７２の側面が必要以上に明るく照らされる。すなわち、導光板２２の切り欠き７２に係る側面では入射光の乱反射が起こり、切り欠き７２に係る側面に沿う部分では、導光板２２の他の部分に比べて余分に光ることとなり、いわゆる明部ムラが発生する。
【００７５】
また、切り欠き７２に係る側面から外側に通り抜けた入射光の一部は、位置決め部６２によって反射され、一部は再び切り欠き７２に係る側面から入射される。従って、導光板２２の切り欠き７２に係る側面の付近での輝度（明部）のムラを加重させる。
【００７６】
これによって、切り欠き７２に係る側面の付近での輝度のムラが液晶表示パネル３のいわゆる表示領域に入射された場合、液晶表示パネル３の表示領域においても輝度のムラを生じさせる。このような輝度のムラはユーザに違和感を与えるので、このような輝度のムラを隠すために、額縁部２５における幅Ｗを広くする必要があり、この結果、画像が表示される表示窓１５が狭くなる問題が生じていた。
【００７７】
これに対して、本発明の実施の形態１に係る液晶テレビジョン１においては、反射面９２，９２，・・・，９２を用いて斯かる問題を解決することができる。図４は本発明の実施の形態１に係る液晶テレビジョン１における、光源部１２、導光板２２の切り欠き７２、及び、反射面９２，９２，・・・，９２の位置関係を模式的に説明する模式図であり、図５は図４のＡ−Ａ線による断面を模式的に示す模式的断面図である。
【００７８】
本発明の実施の形態１に係る液晶テレビジョン１においては、上述したように、導光板２２及び反射シート３２の対向方向において、導光板２２の両長辺側の縁部に整合する範囲であって、光源部１２に近い両端側、及び、導光板２２の各切り欠き７２と対応する位置を除く部分に、短冊状の反射面９２，９２，・・・，９２が形成されている。
【００７９】
このような、反射面９２，９２，・・・，９２は、導光板２２の長辺側の縁部から液晶表示パネル３に向けて出射される光を、導光板２２の長辺側の縁部に向けて反射するので、導光板２２の長辺側の縁部の全体における輝度（光量）を上げることとなる。
【００８０】
この結果、導光板２２の切り欠き７２に係る側面の付近での輝度（明部）のムラが現れることを抑え、明部ムラが視認されなくなるので、上述したような問題を解決でき、良好な表示品位を得ることができると共に、額縁部２５における幅Ｗを狭くして、表示窓１５（又は画像が表示される表示領域）を広げることができる。
【００８１】
以上の説明においては、反射面９２の長手方向の寸法が切り欠き７２同士間の距離と略同一であるように、各反射面９２が導光板押え部５２に設けられている場合を例に挙げて説明したが、本発明はこれに限定するものではない。例えば、導光板２２及び反射シート３２の対向方向において、反射面９２の長手方向の端部が、切り欠き７２とオーバーラップするように構成しても良く、反射面９２の長手方向の寸法が、切り欠き７２同士間の距離よりすこし短くなるように構成しても良い。
【００８２】
（実施の形態２）
本発明の実施の形態１に係る液晶テレビジョン１においては、導光板２２及び反射シート３２の対向方向において、導光板２２の両長辺側の縁部に整合する範囲であって、光源部１２に近い両端側、及び、導光板２２の各切り欠き７２と対応する位置を除く部分に、短冊状の反射面９２，９２，・・・，９２が形成されていた。しかし、本発明の実施の形態２に係る液晶テレビジョン１においては、反射面９２，９２，・・・，９２の形状において実施の形態１と相違する。
【００８３】
本発明の実施の形態２に係る液晶テレビジョン１において、反射面９２，９２，・・・，９２は、導光板２２の両短辺側に設けられた光源部１２に近くなるにつれてその面積が漸次減少するように構成されている。
【００８４】
図６は本発明の実施の形態２に係る液晶テレビジョン１における、光源部１２、導光板２２の切り欠き７２、及び、反射面９２，９２，・・・，９２の位置関係を模式的に説明する模式図である。各反射面９２は、例えば、略三角形、より詳しくは、二等辺三角形の形状をなしており、該二等辺三角形の頂角が光源部１２に向けており、底辺が光源部１２と反対側を向くように構成されている。
【００８５】
本発明の実施の形態２に係る液晶テレビジョン１においては、上述したように、導光板２２及び反射シート３２の対向方向において、導光板２２の両長辺側の縁部に整合する範囲であって、光源部１２に近い両端側、及び、導光板２２の各切り欠き７２と対応する位置を除く部分に、二等辺三角形の形状の反射面９２，９２，・・・，９２が、導光板２２の両短辺側の光源部１２に近くなるにつれてその面積が漸次減少するように構成されている。
【００８６】
このような形状の反射面９２，９２，・・・，９２は、導光板２２の長辺側の縁部から液晶表示パネル３に向けて出射される光を、導光板２２の長辺側の縁部に向けて反射する際において、反射する光量に差を設けることにより、上述したような問題を解決する。
【００８７】
すなわち、光源部１２の付近においては、そもそも光の量が多いため、光源部１２付近の切り欠き７２（例えば、７２ａ、７２ｃ、７２ｄ、７２ｆ）の明暗ムラの光量も大きい。従って、光源部１２から遠い切り欠き７２（例えば、７２ｂ、７２e）は相対的に明部ムラの光量が少なくなるため反射面９２，９２，・・・，９２により光量を増加させるものである。
【００８８】
この結果、導光板２２の切り欠き７２に係る側面の付近での輝度（明部）のムラが現れることを抑え、明部ムラが視認されなくなるので、上述したような問題を解決でき、良好な表示品位を得ることができると共に、額縁部２５における幅Ｗを狭くして、表示窓１５（又は画像が表示される表示領域）を広げることができる。
【００８９】
実施の形態１と同様の部分については、同一の符号を付して詳細な説明を省略する。
【００９０】
（実施の形態３）
本発明の実施の形態１に係る液晶テレビジョン１においては、導光板２２及び反射シート３２の対向方向において、導光板２２の両長辺側の縁部に整合する範囲であって、光源部１２に近い両端側、及び、導光板２２の各切り欠き７２と対応する位置を除く部分に、短冊状の反射面９２，９２，・・・，９２が形成されていた。しかし、本発明の実施の形態３に係る液晶テレビジョン１においては、反射面９２，９２，・・・，９２の形状において実施の形態１及び２と相違する。
【００９１】
本発明の実施の形態３に係る液晶テレビジョン１において、反射面９２，９２，・・・，９２は、各切り欠き７２に近くなるにつれてその面積が漸次減少するように構成されている。
【００９２】
図７は本発明の実施の形態３に係る液晶テレビジョン１における、光源部１２、導光板２２の切り欠き７２、及び、反射面９２，９２，・・・，９２の位置関係を模式的に説明する模式図である。各反射面９２は、例えば、略菱形状又は菱形状をなしており、両側の切り欠き７２に近くなるにつれてその面積が漸次減少するように構成されている。
【００９３】
本発明の実施の形態３に係る液晶テレビジョン１においては、上述したように、導光板２２及び反射シート３２の対向方向において、導光板２２の両長辺側の縁部に整合する範囲であって、光源部１２に近い両端側、及び、導光板２２の各切り欠き７２と対応する位置を除く部分に、菱形状の反射面９２，９２，・・・，９２が設けられている。
【００９４】
このような形状の反射面９２，９２，・・・，９２は、導光板２２の長辺側の縁部から液晶表示パネル３に向けて出射される光を、導光板２２の長辺側の縁部に向けて反射する際において、反射する光量に差を設けることにより、上述したような問題を解決する。
【００９５】
すなわち、切り欠き７２の付近においては、既に十分な明部が発生しているため、切り欠き７２付近では反射面９２による反射光量の増加量を小さくする。一方、切り欠き７２から遠ざかるに従って反射面９２による反射光量の増加量を大きくして、上述したような明部ムラの発生を抑える。
【００９６】
この結果、導光板２２の切り欠き７２に係る側面の付近での輝度（明部）のムラが現れることを抑え、明部ムラが視認されなくなるので、上述したような問題を解決でき、良好な表示品位を得ることができると共に、額縁部２５における幅Ｗを狭くして、表示窓１５（又は画像が表示される表示領域）を広げることができる。
【００９７】
実施の形態１と同様の部分については、同一の符号を付して詳細な説明を省略する。
【００９８】
（実施の形態４）
本発明の実施の形態１に係る液晶テレビジョン１においては、導光板２２及び反射シート３２の対向方向において、導光板２２の両長辺側の縁部に整合する範囲であって、光源部１２に近い両端側、及び、導光板２２の各切り欠き７２と対応する位置を除く部分に、短冊状の反射面９２，９２，・・・，９２が形成されていた。しかし、本発明の実施の形態３に係る液晶テレビジョン１においては、反射面９２，９２，・・・，９２の形状において実施の形態１〜３と相違する。
【００９９】
本発明の実施の形態４に係る液晶テレビジョン１において、反射面９２，９２，・・・，９２には、例えば、酸化チタン等からなる高反射ドット１０２，１０２，・・・，１０２が印刷されている。すなわち、実施の形態１における反射面９２，９２，・・・，９２の形状に相当する面積に、高反射ドット１０２，１０２，・・・，１０２が印刷されており、換言すれば、反射面９２，９２，・・・，９２は反射部５２５に高反射ドット１０２，１０２，・・・，１０２を付してなる。
【０１００】
図８は本発明の実施の形態４に係る液晶テレビジョン１における、光源部１２、導光板２２の切り欠き７２、及び、反射面９２，９２，・・・，９２の位置関係を模式的に説明する模式図である。
【０１０１】
このような、反射面９２，９２，・・・，９２は、導光板２２の長辺側の縁部から液晶表示パネル３に向けて出射される光を、高反射ドット１０２，１０２，・・・，１０２により一層均一に導光板２２の長辺側の縁部に向けて反射するので、導光板２２の長辺側の縁部の全体における輝度を均一に上げることとなる。
【０１０２】
この結果、導光板２２の切り欠き７２に係る側面の付近での輝度（明部）のムラが現れることを抑え、明部ムラが視認されなくなるので、上述したような問題を解決でき、良好な表示品位を得ることができると共に、額縁部２５における幅Ｗを狭くして、表示窓１５（又は画像が表示される表示領域）を広げることができる。
【０１０３】
以上の説明においては、実施の形態１における反射面９２，９２，・・・，９２の形状に相当する面積に、高反射ドット１０２，１０２，・・・，１０２が印刷された場合について説明したが、本発明はこれに限るものでない。例えば、実施の形態２又は３における反射面９２，９２，・・・，９２の形状に相当する面積に、高反射ドット１０２，１０２，・・・，１０２が印刷された構成であっても良い。
【０１０４】
また、本発明は以上の記載に限るものでなく、高反射ドット１０２，１０２，・・・，１０２のドットの密度が導光板２２の切り欠き７２に近くなるにつれて漸次減少するように構成してもよい。
【０１０５】
これによって、導光板２２の長辺側の縁部から液晶表示パネル３に向けて出射される光を、導光板２２の長辺側の縁部に向けて反射する際において、切り欠き７２付近では反射面９２による反射光量の増加量を小さくし、切り欠き７２から遠ざかるに従って反射面９２による反射光量の増加量を大きくする。
【０１０６】
また、本発明は以上の記載に限るものでない。反射面９２における高反射ドット１０２，１０２，・・・，１０２の分布は一定であり、高反射ドット１０２，１０２，・・・，１０２の各ドットの面積が導光板２２の切り欠き７２に近くなるにつれて漸次減少するように構成してもよい。
【０１０７】
これによって、導光板２２の長辺側の縁部から液晶表示パネル３に向けて出射される光を、導光板２２の長辺側の縁部に向けて反射する際において、切り欠き７２付近では反射面９２による反射光量の増加量を小さくし、切り欠き７２から遠ざかるに従って反射面９２による反射光量の増加量を大きくする。
【０１０８】
また、本発明は以上の記載に限るものでない。反射面９２における高反射ドット１０２，１０２，・・・，１０２の各ドットの形状は一定であり（例えば、円形）、高反射ドット１０２，１０２，・・・，１０２のドット同士間の間隔が導光板２２の切り欠き７２に近くなるにつれて漸次増加するように構成してもよい。
【０１０９】
これによって、導光板２２の長辺側の縁部から液晶表示パネル３に向けて出射される光を、導光板２２の長辺側の縁部に向けて反射する際において、切り欠き７２付近では反射面９２による反射光量の増加量を小さくし、切り欠き７２から遠ざかるに従って反射面９２による反射光量の増加量を大きくする。
【０１１０】
実施の形態１と同様の部分については、同一の符号を付して詳細な説明を省略する。
【０１１１】
（実施の形態５）
本発明は以上の記載に限るものでない。図９は本発明の実施の形態５に係る液晶テレビジョン１における、バック収容部４２での光源部１２及び導光板２２の収容状態を説明する模式図である。説明の便宜上、導光板押え部材５２の図示は省略する。
【０１１２】
図９に示すように、本発明の実施の形態５に係る液晶テレビジョン１においては、導光板２２の側面であって、光源部１２側の側面と、切り欠き７２ａ、７２ｂ、７２ｃ、７２ｄ、７２e、７２ｆを形成する側面部分とを除く側面に、光源部１２から入射されて導光板２２の側面を介して出射される光を反出射方向に、すなわち、導光板２２の内側に反射する反射性シート９３，９３，・・・、９３が付されている。
【０１１３】
これによって、切り欠き７２付近の導光板２２の側面にて当該光の反射が行なわれ、再利用される。また、導光板２２の中央の輝度が上昇し低電力化が可能である。また、切り欠き７２の側面の周辺での光量が増加し、切り欠き７２の側面の付近での輝度（明部）のムラが現れることを抑え、明部ムラが視認されなくなるので、上述したような問題を解決でき、良好な表示品位を得ることができる。
【０１１４】
（実施の形態６）
本発明は以上の記載に限るものでない。以下、説明の便宜上、矩形の導光板２２の４つの側面のうち何れか一の側面側に光源部１２が設けられており、該一の側面と対応する他の側面に１つの切り欠き７２が形成されている場合を例として説明する。
【０１１５】
図１０は本発明の実施の形態６に係る液晶テレビジョン１において、光源部１２と、導光板２２の切り欠き７２との位置関係を模式的に説明する模式図である。
【０１１６】
本発明の実施の形態６に係る液晶テレビジョン１においては、切り欠き７２を形成する側面部分のうち、光源部１２からの光の入射方向と対向する部分に、鏡面加工が施されてある。図１０中には、切り欠き７２を形成する側面部分のうち、斯かる鏡面加工部分を破線にて囲んで表示している。
【０１１７】
これによって、切り欠き７２を形成する側面部分のうち、光源部１２からの光の入射方向と対向する部分での乱反射が抑制され、切り欠き７２での光量が低下する。従って、切り欠き７２の側面の付近での輝度（明部）のムラが現れることを抑え、明部ムラが視認されなくなるので、上述したような問題を解決でき、良好な表示品位を得ることができる。
【０１１８】
また、本発明は以上の記載に限るものでない。図１１は本発明の実施の形態６に係る液晶テレビジョン１において、光源部１２と、導光板２２の切り欠き７２との位置関係を模式的に説明する模式図である。
【０１１９】
本発明の実施の形態６に係る液晶テレビジョン１においては、導光板２２の側面であって、光源部１２側の側面と、切り欠き７２の側面部分とを除く側面に、鏡面加工が施されていない。図１１には、斯かる側面を破線にて囲んで表示している。
【０１２０】
これによって、切り欠き７２付近の導光板２２の側面にて乱反射が生じる。従って、切り欠き７２の側面の周辺での光量が増加し、切り欠き７２の側面の付近での輝度（明部）のムラが現れることを抑え、明部ムラが視認されなくなるので、上述したような問題を解決でき、良好な表示品位を得ることができる。
【符号の説明】
【０１２１】
１  液晶テレビジョン（表示装置）
２  光源装置
３  液晶表示パネル
１２  光源部
２２  導光板
３２  反射シート（反射シート部材）
５２  導光板押え部（縁部枠部材）
７２  切り欠き
８２  凹部
９２  反射面
９３  反射性シート
１０２  高反射ドット
５２５  反射部
【図１】
2015025364.tif 000003
【図２】
2015025364.tif 000004
【図３】
2015025364.tif 000005
【図４】
2015025364.tif 000006
【図５】
2015025364.tif 000007
【図６】
2015025364.tif 000008
【図７】
2015025364.tif 000009
【図８】
2015025364.tif 000010
【図９】
2015025364.tif 000011
【図１０】
2015025364.tif 000012
【図１１】
2015025364.tif 000013
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
縁部に切り欠きを有し、側面から入射される光を一面から出射させる導光板と、該導光板に対向配置され、前記切り欠きに対応する凹部を縁部に有する反射シート部材とを備える光源装置において、
前記導光板の前記一面の前記縁部側に縁部枠部材を設け、
該縁部枠部材は、前記導光板側の一面に反射面を有し、前記反射面は、前記反射シート部材及び前記導光板が対向する前記対向方向にて、前記導光板の前記切り欠きに対応する位置を除いて形成されていることを特徴とする光源装置。 
【請求項２】
前記導光板は矩形であり、
前記導光板の前記縁部に隣り合う側面側には、光源を設けており、
前記反射面は、該光源に近くなるにつれて面積が漸次減少するように構成されていることを特徴とする請求項１に記載の光源装置。
【請求項３】
前記反射面は略三角形であることを特徴とする請求項２に記載の光源装置。
【請求項４】
前記反射面は、前記導光板の前記切り欠きに近くなるにつれて面積が漸次減少するように構成されていることを特徴とする請求項１に記載の光源装置。
【請求項５】
前記反射面は略菱形であることを特徴とする請求項４に記載の光源装置。
【請求項６】
前記反射面は、高反射ドットを印刷してなることを特徴とする請求項１から５の何れかに記載の光源装置。
【請求項７】
前記反射面は、前記導光板の前記切り欠きに近くなるにつれて、前記高反射ドットのドット密度が漸次減少するように構成されていることを特徴とする請求項６に記載の光源装置。
【請求項８】
前記高反射ドットの分布は一定であり、
前記反射面は、前記導光板の前記切り欠きに近くなるにつれて、前記高反射ドットの各ドットの面積が漸次減少するように構成されていることを特徴とする請求項６に記載の光源装置。
【請求項９】
前記高反射ドットの各ドットは一定の形状を有しており、
前記反射面は、前記導光板の前記切り欠きに近くなるにつれて、前記高反射ドットのドット同士間の間隔が漸次増加するように構成されていることを特徴とする請求項６に記載の光源装置。
【請求項１０】
前記反射面は、反射シートを付してなることを特徴とする請求項１から９の何れかに記載の光源装置。
【請求項１１】
前記光源に係る側面と、前記切り欠きを形成する側面部分とを除く前記導光板の側面には、該導光板の側面を介して出射される光を反出射方向に反射する反射性シートを付してあることを特徴とする請求項１から１０の何れかに記載の光源装置。
【請求項１２】
前記切り欠きを形成する側面部分のうち、前記光源からの光の入射方向と対向する部分には、鏡面加工が施されてあることを特徴とする請求項１から１１の何れかに記載の光源装置。
【請求項１３】
前記光源に係る側面と、前記切り欠きを形成する側面部分とを除く前記導光板の側面には、鏡面加工が施されていないことを特徴とする請求項１２に記載の光源装置。
【請求項１４】
請求項１から１３の何れかに記載の光源装置と、
前記導光板の前記一面側に設けられており、該導光板を介して入射される光を用いて画像を表示する表示パネルと
を備えることを特徴とする表示装置。
【手続補正２】
【補正対象書類名】図面
【補正対象項目名】図２
【補正方法】変更
【補正の内容】
【図２】
2015025364.tif 000014
【国際調査報告】
2015025364.tif 000015
2015025364.tif 000016
2015025364.tif 000017